【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
実質的に平面の基材と、
約０．１〜約３０μｍの範囲内の厚さを有し、金属、金属酸化物、およびそれらの混合物からなる群の中の少なくとも１種類を備える、真空蒸着され砂目立てされていない多孔質被膜と、
画像記録層と、
を記載の順序で備え、
前記多孔質被膜が、酸化物のみから実質的になる場合、該多孔質被膜が、銅、マグネシウム、カドミウム、アルミニウム、ジルコニウム、ハフニウム、トリウム、クロム、タングステン、モリブデン、およびコバルトからなる群より選択される金属の少なくとも１種類の酸化物を備え、
前記多孔質被膜が、アルミナのみから実質的になる場合、該多孔質被膜が、１〜３０ｎｍの範囲内の幅を有する細孔を備える、印刷版。
【請求項２】
前記被膜が、赤外線に対して少なくとも６５％の吸光度を有すること、
当該印刷版が、前記被膜と前記画像記録層との間に有機アンダーコート層をさらに備えること、および、
前記画像記録層がポリマーマトリックスを含むこと、
の少なくとも１つをさらなる特徴とする、請求項１に記載の印刷版。
【請求項３】
（ａ）実質的に平面の基材と、
（ｂ）約０．１〜約３０μｍの範囲内の厚さを有し、金属、金属酸化物、およびそれらの混合物からなる群の中の少なくとも１種類を備える、真空蒸着され砂目立てされていない多孔質被膜と、
（ｃ）親水性層と、
（ｄ）画像記録層と、
を記載の順序で備え、
前記多孔質被膜が、酸化物のみから実質的になる場合、該多孔質被膜が、銅、マグネシウム、カドミウム、アルミニウム、ジルコニウム、ハフニウム、トリウム、クロム、タングステン、モリブデン、およびコバルトからなる群より選択される金属の少なくとも１種類の酸化物を備え、
前記多孔質被膜が、アルミナのみから実質的になる場合、該多孔質被膜が、１〜３０ｎｍの範囲内の幅を有する細孔を備える、印刷版。
【請求項４】
層（ｃ）が陽極金属酸化物層または真空蒸着された層である、請求項３に記載の印刷版。
【請求項５】
（i）被膜（ｂ）が、（α）および（β）からなる群、すなわち、
（α）弁金属およびクロム、および
（β）弁金属およびクロムから選択される少なくとも１種類の金属と、弁金属およびクロムの酸化物から選択される少なくとも１種類の酸化物との混合物、からなる群の中の少なくとも１種類を備えること、
（ii）層（ｃ）が親水性金属層および親水性金属酸化物層から選択されること、
（iii）前記基材が、アルミニウム、アルミニウム合金、クロム、およびステンレス鋼の基材から選択されること、
（iv）当該印刷版が、前記被膜と前記画像記録層との間に有機アンダーコート層をさらに備えること、
（v）前記画像記録層がポリマーマトリックスを含むこと、
の少なくとも１つをさらなる特徴とする、請求項３に記載の印刷版。
【請求項６】
（i）被膜（ｂ）が、選択された少なくとも１種類の弁金属と少なくとも１種類の弁金属酸化物との混合物を備えること、
（ii）層（ｃ）が、親水性金属銅層および親水性弁金属酸化物層から選択されること、
（iii）前記基材が、支持されたアルミニウム箔およびアルミニウム合金箔から選択されること、
の少なくとも１つをさらなる特徴とする、請求項５に記載の印刷版。
【請求項７】
（i）被膜（ｂ）がフラクタル表面構造を有すること、
（ii）層（ｃ）が、陽極弁金属酸化物層および非陽極弁金属酸化物層から選択されること、
（iii）前記基材が、比較的剛性のより高い金属またはポリマーの母材で支持されたアルミニウム箔およびアルミニウム合金箔から選択されること、
の少なくとも１つをさらなる特徴とする、請求項６に記載の印刷版。
【請求項８】
被膜（ｂ）において、前記金属および金属酸化物が、弁金属およびクロムならびにそれらの酸化物から選択され、被膜（ｂ）が１００％金属からなるのではなく、（ｂ）および（ｃ）の少なくとも一方が赤外性に対して少なくとも６５％の吸光度を有することを特徴とする、請求項３に記載の印刷版。
【請求項９】
前記基材が、アルミニウム、アルミニウム合金、クロム、およびステンレス鋼の基材から選択される、請求項８に記載の印刷版。
【請求項１０】
（i）被膜（ｂ）が、少なくとも１種類の弁金属と少なくとも１種類の弁金属酸化物との混合物を備えること、
（ii）層（ｃ）が、親水性金属銅層および親水性弁金属酸化物層から選択されること、
（iii）前記基材が、支持されたアルミニウム箔およびアルミニウム合金箔から選択されること、
の少なくとも１つをさらなる特徴とする、請求項８に記載の印刷版。
【請求項１１】
（i）被膜（ｂ）が、少なくとも１種類の弁金属と少なくとも１種類の弁金属酸化物との混合物を備えること、
（ii）層（ｃ）が、親水性金属銅層および親水性弁金属酸化物層から選択されること、
（iii）前記基材が、支持されたアルミニウム箔およびアルミニウム合金箔から選択されること、
の少なくとも１つをさらなる特徴とする、請求項９に記載の印刷版。
【請求項１２】
（i）被膜（ｂ）がフラクタル表面構造を有すること、
（ii）層（ｃ）が、陽極弁金属酸化物層および非陽極弁金属酸化物層から選択されること、
（iii）前記基材が、比較的剛性のより高い金属またはポリマーの母材で支持されたアルミニウム箔およびアルミニウム合金箔から選択されること、
の少なくとも１つをさらなる特徴とする、請求項１０に記載の印刷版。
【請求項１３】
（i）被膜（ｂ）がフラクタル表面構造を有すること、
（ii）層（ｃ）が、陽極弁金属酸化物層および非陽極弁金属酸化物層から選択されること、
（iii）前記基材が、比較的剛性のより高い金属またはポリマーの母材で支持されたアルミニウム箔およびアルミニウム合金箔から選択されること、
の少なくとも１つをさらなる特徴とする、請求項１１に記載の印刷版。
【請求項１４】
前記基材が、金属性およびポリマーの支持体から選択される比較的剛性が高く使い捨てまたは再利用可能な母剤に接着されたアルミニウム箔およびアルミニウム合金箔から選択される、請求項１〜３のいずれか一項に記載の印刷版。
【請求項１５】
ナノメートル規模の多孔質表面層を有する製品であって、
実質的に平面の基材と、
約０．１〜約３０μｍの範囲の厚さを有し、金属、金属酸化物、およびそれらの混合物からなる群の中の少なくとも１種類を備える、前記基板上の真空蒸着され砂目立てされていない多孔質被膜であって、最大１００ｎｍまでの範囲の細孔幅を有する細孔をその表面層中に備え、前記範囲の細孔の過半数が１〜３０ｎｍの帯域の幅を有する被膜とを備える多孔質被膜と、
を備え、
前記多孔質被膜が、酸化物のみから実質的になる場合、該多孔質被膜が、銅、マグネシウム、カドミウム、アルミニウム、ジルコニウム、ハフニウム、トリウム、クロム、タングステン、モリブデン、およびコバルトからなる群より選択される金属の少なくとも１種類の酸化物を備え、
前記多孔質被膜が、アルミナのみから実質的になる場合、該多孔質皮膜が１〜３０ｎｍの範囲内の幅を有する細孔を備える、製品。
【請求項１６】
（ａ）前記１〜３０ｎｍ幅の細孔の過半数が、前記細孔の幅の１〜２倍の範囲内にある細孔長さを有すること、
（ｂ）１〜８ｎｍ細孔幅の帯域幅内の細孔の密度が約３．５ｎｍにおいてピークとなること、
（ｃ）８ｎｍ〜１０，０００ｎｍの広い帯域幅において、最も多数の細孔が１０〜３０ｎｍの範囲に集中し、２番目に多い細孔が２００〜５０００ｎｍの範囲に集中すること、
（ｄ）フラクタル構造を備える、（ｅ）前記金属が弁金属であり、前記金属酸化物が弁金属酸化物であること、
の少なくとも１つをさらなる特徴とする、請求項１５に記載の製品。
【請求項１７】
（ａ）実質的に平面である砂目立てしていない金属性基材と、
（ｂ）約０．１〜約３０μｍの範囲の厚さを有し、金属、金属酸化物、およびそれらの混合物からなる群の中の少なくとも１種類を備える、真空蒸着された多孔質被膜と、
（ｃ）場合により親水性層と、
（ｄ）画像記録層と、
を記載の順序で備える印刷版であって、
前記多孔質被膜が、酸化物のみから実質的になる場合、該多孔質被膜が、銅、マグネシウム、カドミウム、アルミニウム、ジルコニウム、ハフニウム、トリウム、クロム、タングステン、モリブデン、およびコバルトからなる群より選択される金属の少なくとも１種類の酸化物を備え、
前記多孔質被膜が、アルミナのみから実質的になる場合、該多孔質被膜が、１〜３０ｎｍの範囲内の幅を有する細孔を備える、印刷版。
【請求項１８】
実質的に、添付の図面を参照して本明細書で説明され、添付の図面に示されている製品。
【請求項１９】
実質的に、添付の図面を参照して本明細書で説明され、添付の図面に示されている印刷版。
【請求項２０】
（ａ）実質的に平面の基材と、
（ｂ）約０．１〜約３０μｍの範囲の厚さを有し、金属、金属酸化物、およびそれらの混合物からなる群の中の少なくとも１種類を備える、真空蒸着された多孔質被膜と、場合により、
（ｃ）親水性層と、
を記載の順序で備える印刷版であって、
前記多孔質被膜が、酸化物のみから実質的になる場合、該多孔質被膜が、銅、マグネシウム、カドミウム、アルミニウム、ジルコニウム、ハフニウム、トリウム、クロム、タングステン、モリブデン、およびコバルトからなる群より選択される金属の少なくとも１種類の酸化物を備え、
前記多孔質被膜が、アルミナのみから実質的になる場合、該多孔質被膜が、１〜３０ｎｍの範囲内の幅を有する細孔を備え、
当該印刷版に画像記録層が存在しないことを特徴とする、印刷版。
【手続補正２】
【補正対象書類名】明細書
【補正対象項目名】発明の名称
【補正方法】変更
【補正の内容】
【発明の名称】多孔質非陽極層を備える平版印刷版